(57)【要約】【課題】カメラ１の光軸Ｌが窓２に対して斜め方向に入射する場合であっても、反射を抑制し、被写体Ｈをカメラ１で鮮明に撮影することができる反射防止フィルム及びカメラシステムを提供する。【解決手段】窓２を介してカメラ１で被写体Ｈを撮影するカメラシステムに、反射防止フィルムを用いる。反射防止フィルムは、窓２の表面の垂線Ｖと前記カメラ１の光軸Ｌとが所定の角度θをなし、かつ、カメラ１の撮像範囲において窓２に貼付されるように形成されている。反射防止フィルムは、前記角度θに基づいてカメラ１の位置における光の反射が抑制されるように反射防止層の膜厚が調整されている。【選択図】図１
2011203345.tif 000002
【特許請求の範囲】
【請求項１】
窓を介してカメラで被写体を撮影するカメラシステムに用いる反射防止フィルムであって、前記窓の表面の垂線と前記カメラの光軸とが所定の角度θをなし、かつ、前記カメラの撮像範囲において前記窓に貼付されるように形成され、前記角度θに基づいて前記カメラの位置における光の反射が抑制されるように反射防止層の膜厚が調整されたことを特徴とする反射防止フィルム。
【請求項２】
前記反射防止層の膜厚が１００／ｃｏｓθ（ｎｍ）の±１０％の範囲内であることを特徴とする、請求項１に記載の反射防止フィルム。
【請求項３】
前記角度θが３０〜６０度であり、前記反射防止層の膜厚が１１０〜２００ｎｍであることを特徴とする、請求項１又は２に記載の反射防止フィルム。
【請求項４】
窓を介してカメラで被写体を撮影するカメラシステムであって、前記カメラの撮像範囲において前記窓に、請求項１〜３のいずれかに記載の反射防止フィルムが貼付されたことを特徴とするカメラシステム。
【発明の詳細な説明】
【技術分野】
【０００１】
本発明は、窓を介して被写体を撮影するカメラシステムに用いる反射防止フィルム及び反射防止フィルムを用いたカメラシステムに関する。
【背景技術】
【０００２】
従来から、ディスプレイやタッチパネルにおいて、ガラスやプラスチック板といった透明基板の表面に反射防止の処理をすることにより、透明基板への写り込みを低減し画像を見やすくする反射防止技術が知られている。例えば、透明基板の表面に、基板よりも屈折率の低い材料にて薄膜を形成したり、高屈折率の薄膜と低屈折率の薄膜とを複層形成したりすることにより、反射を防止する効果が得られる。このような薄膜は、透明基板に直接形成されてもよいし、表面に薄膜を形成したプラスチックフィルムを透明基板に貼付けるようにして設けられてもよい。
【０００３】
ところで、反射防止技術は、ディスプレイやタッチパネルといった画像表示機器だけでなく、ショーウインドウやショーケースあるいは建物のガラスなどの窓においても、同様に写り込み低減の効果を得ることができるため、そのような用途への展開も図られつつある。
【０００４】
そして、ガラスやプラスチックといった透明基板を介して肉眼で直接、物を見る場合だけではなく、防犯カメラなどカメラで撮影する場合においても、写り込みによってガラス等を介した被写体の画像が鮮明に見えない場合がある。その場合、カメラの撮像範囲にあたる部分のガラスに反射防止処理をしたり、反射防止フィルムを貼ったりして写り込みを低減し、ガラスを介して被写体を鮮明にカメラで撮影することも知られている。
【０００５】
しかしながら、従来のカメラ撮影の反射防止技術においては、ガラスに対して光軸を垂直にしてカメラを設置した場合が検討されているだけである（例えば特許文献１，２参照）。ここで、監視カメラなど建物に設置するようなカメラシステムでは、通常、ガラス面に対して斜め方向、すなわちガラス面に対して垂直でない方向に、カメラの光軸が入ることが多い。特に、撮影したい被写体がガラス面に対して垂直な方向に存在しない場合、被写体を撮影するためには、ガラスの被写体とは反対側において、カメラの光軸を被写体に向けガラス面に対して斜め方向にしてカメラを設置せざるを得ない。このように、カメラの光軸がガラス面に対して斜め方向になると、ガラス表面の反射防止機能が写り込みを十分に防止することができず、結局、被写体を鮮明に撮影することができない場合があった。
【先行技術文献】
【特許文献】
【０００６】
【特許文献１】特開２００４−２６７４２６号公報
【特許文献２】特開平１１−２４０３８４号公報
【発明の概要】
【発明が解決しようとする課題】
【０００７】
本発明は、上記に鑑みてなされたものであり、カメラの光軸が窓に対して斜め方向になる場合であっても、反射を抑制し、被写体をカメラで鮮明に撮影することができる反射防止フィルム及びカメラシステムを提供することを目的とする。
【課題を解決するための手段】
【０００８】
上記課題を解決するために、反射防止フィルムに係る発明は、窓を介してカメラで被写体を撮影するカメラシステムに用いる反射防止フィルムであって、前記窓の表面の垂線と前記カメラの光軸とが所定の角度θをなし、かつ、前記カメラの撮像範囲において前記窓に貼付されるように形成され、前記角度θに基づいて前記カメラの位置における光の反射が抑制されるように反射防止層の膜厚が調整されたことを特徴とする。
【０００９】
この発明にあっては、前記反射防止層の膜厚が１００／ｃｏｓθ（ｎｍ）の±１０％の範囲内であることが好ましい。
【００１０】
この発明にあっては、前記角度θが３０〜６０度であり、反射防止層の膜厚が１１０〜２００ｎｍであることが好ましい。
【００１１】
カメラシステムに係る発明は、窓を介してカメラで被写体を撮影するカメラシステムであって、前記カメラの撮像範囲において前記窓に、上記構成の反射防止フィルムが貼付されたことを特徴とする。
【発明の効果】
【００１２】
本発明の反射防止フィルムによれば、窓による光の反射を抑制し、カメラの光軸が窓に対して斜め方向になる場合であっても、写り込みを低減し、被写体をカメラで鮮明に撮影することができる。
【図面の簡単な説明】
【００１３】
【図１】カメラシステムの一例を示す概略図である。
【図２】同上のカメラシステムの一例を示す概略説明図である。
【図３】（ａ）及び（ｂ）は、カメラシステムの一例にて撮影した画像の写真である。
【発明を実施するための形態】
【００１４】
反射防止フィルムは、窓を介してカメラで被写体を撮影するカメラシステムに用いられるものである。
【００１５】
図１に、カメラシステムの一例を示す。このカメラシステムは、例えば、マンションにおいて不審者の侵入を防いだりする監視システムに用いられるものである。
【００１６】
図１のカメラシステムでは、窓２を介してカメラ１で被写体Ｈを撮像するようにカメラ１が建物１０の屋内に設置されている。カメラ１は上側に設けられた設置脚１１で建物１０の内部の天井１２に支持され取り付けられている。窓２は、この形態では、透明なガラス材などによって形成されたスライド式の両側開きドアとなっている。なお、ドアの一部のみが透明になり窓になっていてもよく、また、ドアではなく、壁の一部に窓２が設けられていてもよい。また、カメラ１は壁１３に取り付けられていてもよい。窓２の表面は断面視直線状の平坦な面として形成されている。
【００１７】
図２に示すように、このようなカメラシステムにあっては、通常、カメラ１の光軸Ｌが窓２に対して斜め方向になる角度θから被写体Ｈを撮影しなければならない。すなわち、カメラ１は邪魔にならないように建物の所定位置に取り付けられる必要があり、カメラ１が天井１２などに取り付けられた場合、被写体Ｈは天井１２よりも下方に位置するので、カメラの光軸Ｌは窓２の表面に対して垂直にはならず、斜め方向になる。
【００１８】
また、撮影したい被写体Ｈが窓２の表面に対して垂直な方向に存在しない場合がある。すなわち、窓２として小さいサイズのものを用いたような場合、被写体Ｈがこの窓２の垂直方向に存在しないことがある。被写体Ｈが窓２の垂直方向に存在するのであれば、カメラ１の取り付け位置を調整したりカメラ１の光軸Ｌの方向を調整したりしてできるだけ反射が少なくなるようにカメラ１を取り付けて撮影することも可能ではある。しかしながら、窓２の垂直方向に被写体Ｈが存在しない場合、被写体Ｈを撮影するためには、光軸Ｌが窓２を通過して被写体Ｈに向かうように光軸Ｌを窓２に対して斜め方向にしてカメラ１を設置せざるを得ない。そしてこの場合、光軸Ｌと窓２の垂線Ｖとのなす角度θはさらに大きくなる。
【００１９】
このように、カメラ１の光軸Ｌが窓２の表面に対して斜め方向になると、光の反射が起こりやすく、写り込みが発生して、被写体Ｈを鮮明に撮影することができないという問題が生じる。
【００２０】
そこで、反射防止フィルムを窓２に用いるのである。
【００２１】
反射防止フィルムとしては、特に限定されるものではなく、プラスチックフィルムなどの基材の表面に、反射防止層として、基材よりも低屈折率の層が形成されているものを用いることができる。反射防止層は基材の表面に単層で形成されていることが好ましいが、これに限られない。基材の表面に、ハードコート層などの高屈折率層を形成し、さらにその表面（上層）に低屈折率層を形成したものであってもよい。また、基材の表面に、高屈折率層と低屈折率層とを複層で形成したものであっても構わない。
【００２２】
反射防止フィルムの基材としては、特に限定されるものではなく、ＰＥＴ（ポリエチレンテレフタレート）、アクリル樹脂、ポリカーボネート樹脂、ＴＡＣ（トリアセチルセルロース）、フッ素樹脂、塩化ビニル樹脂などの樹脂基材を用いることができる。そして、基材として、透明な基材であれば構わない。基材の厚みとしては、例えば、２５〜２００μｍ程度にすることができる。
【００２３】
反射防止層は、反射を抑制するために、基材よりも低屈折率の層で構成される。例えば、反射防止層の屈折率ｎ１を１．２５〜１．５０程度に設定することができる。反射防止層は、反射防止層を形成する樹脂組成物（コーティング材）を基材の表面に塗布するなどして形成することができる。この反射防止層は、コーティング材を基材表面に塗布するウェットコーティング法で形成されたものであっても、蒸着法やスパッタ法といったドライコーティング法で形成されたものであっても構わない。
【００２４】
コーティング材としては、例えば、バインダー材料に低屈折率の粒子（屈折率：１．２０〜１．４５）を添加したようなものを用いることができる。
【００２５】
バインダー材料としては、シリコンアルコキシド系であっても、飽和炭化水素、ポリエーテルを主鎖として有するポリマー（ＵＶ硬化型樹脂、熱硬化型樹脂）であってもよい。その中にフッ素原子を含む単位を含有してもよい。
【００２６】
低屈折率微粒子としては、具体的には、シリカ微粒子、中空シリカ微粒子、フッ化マグネシウム、フッ化リチウム、フッ化アルミニウム、フッ化カルシウム、フッ化ナトリウム等のフッ化物微粒子が好ましい。これら微粒子を１種類もしくは２種類以上混合して使用することができる。これら微粒子をバインダー樹脂に相溶性を持たせるための表面処理を施して分散させてもよい。
【００２７】
このようなコーティング材を用いることにより、反射防止層の屈折率を低減することができるものである。
【００２８】
反射防止フィルムは、窓ガラスや透明樹脂板などの窓２に貼付される。反射防止フィルムを窓２に貼付する方法としては、特に限定されるものではなく、粘着剤を介して貼る方法や、ラミネートする方法などを選択することができる。
【００２９】
窓２に反射防止フィルムを貼付するにあたっては、窓２の両面に貼付しても片面のみに貼付しても構わない。両面に貼付する場合、反射防止効果を向上させることができるという利点がある。一方、片面のみに貼付する場合、反射防止フィルムの取り付けを簡単にして反射を抑制できるという利点がある。
【００３０】
反射防止フィルムとしては、具体的には、例えば、剥離層、粘着層、基材、ガード層、反射防止層、保護層がこの順で積層されているものを用いることができる。この場合、フィルムの施工にあたっては、剥離層を剥離して、粘着層にて反射防止フィルムを貼付した後、保護層を剥離する。このような層構成のフィルムであれば、剥離層を剥離して粘着層を露出させることができ、また、保護層で施工時の傷つきを低減することができ、取り付け時の作業性が向上する。屋外側に貼付するフィルムの基材にアクリル基材を用いることも好ましい。その場合、耐久性を高めることができる。また、屋外側に貼付するフィルムの反射防止層に光触媒を含有させることも好ましい。それにより紫外線の侵入を低減することや、表面の汚れを光触媒による自浄作用により防止することができる。一方、屋内側に貼付するフィルムの基材にＰＥＴを用いることも好ましい。その場合、ガラスの飛散を防止することができる。また、反射防止層に撥水性や撥水撥油性を付与してもよい。その場合、防汚性を高めたり、雨や結露などの水滴による画像の低下を低減したりすることができる。
【００３１】
窓２は、少なくとも反射防止フィルムが貼付される部分の表面が平坦になっていることが好ましい。窓２の表面が平坦でないと反射防止フィルムをきれいに貼付することができなくなるおそれがある。
【００３２】
反射防止フィルムは、窓２の表面の垂線Ｖとカメラ１の光軸Ｌとのなす角が所定の角度θになるように窓２に貼付されるように形成される。この角度θは０°であってもよいが、通常、０°よりも大きく９０°よりも小さい。すなわち、ある一定の角度をもって斜め方向からカメラ１の光軸Ｌが窓２に入射するのである。カメラ１の光軸Ｌとは、カメラ１と被写体Ｈとを結ぶ直線のことである。この光軸Ｌは、カメラ１のレンズ中心における垂線であってもよく、カメラ１の、被写体の画像を受像する受像素子とレンズとを結ぶ直線であってもよい。このように、反射防止フィルムは、あらかじめカメラ１の光軸Ｌが斜め方向に所定の角度θで反射防止フィルムに入射することが想定されて形成されるものであり、それによって光の反射を低減することが可能となる。
【００３３】
反射防止フィルムは、カメラ１の撮像範囲において窓２に貼付されるように形成されている。すなわち、カメラ１の窓２での撮像範囲に反射防止フィルムが貼付される。カメラ１の撮像範囲に貼付されることで反射を抑制することが可能となる。
【００３４】
図１及び図２において、直線Ｃ１と直線Ｃ２とで挟まれた範囲がカメラ１の撮像範囲であり、領域Ａで示す範囲が窓２の位置におけるカメラ１の撮像範囲である。反射防止フィルムをこの撮像範囲に貼付することで、窓２での反射を抑制し、写り込みを低減することができる。ここで、反射防止フィルムは撮像範囲と同じ大きさであってもよく、撮像範囲よりも大きくてもよい。また、被写体Ｈを撮影するのに支障がなければ、撮像範囲よりも小さい反射防止フィルムを用いてもよい。
【００３５】
反射防止フィルムは、カメラ１の光軸Ｌと窓２の表面の垂線Ｖとがなす角度θに基づき、カメラ１の位置における光の反射が抑制されるように膜厚が調整されている。より好ましくは、角度θにおいて光の反射率が最小になるように、反射防止層の膜厚が調整されている。つまり、反射防止フィルムを製造する際には、角度θに基づき、反射防止層の膜厚を調整する。
【００３６】
ここで、反射防止フィルムは、通常、カメラ１の光軸Ｌが反射防止フィルムに対し斜め方向に入射するように貼付されるものである。そして、反射防止フィルムは、その膜厚が調整されて、光軸Ｌと窓２の垂線Ｖとがなす角度θの角度において光の反射率が小さくなっている。すなわち、光軸Ｌと窓２の垂線Ｖとがなす角度θは、カメラ１の設置位置やカメラ１のレンズの向き、反射防止フィルムの貼付位置などにより変化するが、所定の角度θで入射するように形成された反射防止フィルムにおいて、その所定の角度θにおいて反射率が小さくなるように膜厚が調整されるのである。
【００３７】
反射率が最小となる反射防止層の膜厚（Ｄ）は、次式に従って算出される。
【００３８】
Ｄ＝１００／ｃｏｓθ    （ｎｍ）
すなわち、膜厚（Ｄ）は、カメラ１の光軸Ｌと窓２の表面に垂直な線（垂線Ｖ）とのなす角度である角度θから求められるものであり、角度θに基づいて調整可能なものである。
【００３９】
上記の式は次のような理論から導出される。
【００４０】
基材の表面に膜厚（Ｄ）の反射防止層を形成した場合、反射防止層の表面で反射する光と基材表面で反射する光との位相が（１／２）×λ（λ：波長）だけずれていれば、互いに打ち消し合うため最も反射が少なくなる。つまり、反射防止層の表面で反射する光と反射防止層の内部を通って基材表面で反射する光との光路差が波長の半分である（１／２）×λに等しい場合、反射が最も少なくなる。
【００４１】
光の入射角をθとし反射防止層の屈折率をｎ１とすると、基材表面で反射する光は、次式の光路差分だけ反射防止層の表面で反射する光よりも長い光路をたどる。
【００４２】
光路差＝２ｎ１Ｄｃｏｓθ
この光路差が（１／２）×λに等しいことが、反射率が最小となる条件となる。
【００４３】
つまり、
２ｎ１Ｄｃｏｓθ＝（１／２）×λ
となるので、
Ｄ＝（１／４）×（１／ｎ１）×λ×（１／ｃｏｓθ）
となる。
【００４４】
ここで、人間の目にとって最も反射が少なくなると感じる光の波長は５５０ｎｍといわれている。また、一般的な反射防止層は、その屈折率ｎ１が１．３６程度である。そこで、λ＝５５０、ｎ１＝１．３６を代入することにより、Ｄ＝１００／ｃｏｓθの式を得ることができる。なお、反射による光の入射角と出射角は通常等しいので、上記の光の入射角θをそのままカメラ１の光軸Ｌの角度θに置き換えて考えることができる。
【００４５】
角度θが３０°より小さい場合には、反射防止層の膜厚Ｄは角度依存性が低くなる。例えば、角度θが０°に近い場合、つまりカメラ１の光軸Ｌが窓２の表面に対して垂直に近い場合、上記の式により膜厚を調整しても、角度θ＝０°の場合の膜厚との差が少ない。この場合、角度θ＝０°の場合の膜厚を用いても反射をある程度抑制することができ、写り込みによる撮像画像の画質低下はわずかである。したがって、上記の式に基づいて膜厚を調整することのメリットが少ない。この傾向は、０°＜θ＜３０°においても同様であり、この範囲では膜厚の角度依存性が低い。
【００４６】
しかしながら、角度θが３０°以上６０°以下の範囲にある場合には、上記の式に基づき、反射防止層の膜厚を、上記の式で算出した膜厚Ｄの±１０％以内の範囲の厚みに調整することで、反射をより抑制して写り込みを低減し、鮮明な画像を得ることができる。このような反射の抑制は、膜厚の角度依存性が高いために、上記の式にて調整しない場合よりも優れるものである。そして、膜厚としては、上記によって求めた膜厚の±１０％程度の厚みの範囲内ならば反射を効果的に抑制することが可能である。したがって、反射防止層の膜厚（Ｄ）は、１００／ｃｏｓθ（ｎｍ）の±１０％の範囲内であることが好ましいのである。この膜厚（Ｄ）の範囲は、言い換えれば、０．９×（１００／ｃｏｓθ）〜１．１×（１００／ｃｏｓθ）（ｎｍ）となる
ところで、角度θが６０°よりも大きく９０°よりも小さい場合、上記の式に基づけば、反射防止層の膜厚の角度依存性がより顕著になるため、より精密な膜厚調整が求められる。しかしながら、このような角度でカメラ１が設置されるケースは稀である。そのため、実用的には角度θは３０°以上６０°以下である。
【００４７】
したがって、角度θが３０〜６０度であり、反射防止層の膜厚が１１０〜２００ｎｍであることが好ましいものである。この膜厚は、上記の式で、θ＝３０°、６０°を代入することにより算出される。
【００４８】
光軸Ｌと垂線Ｖとがなす角度θに基づく、より精密な膜厚の調整の方法を例示して説明する。
【００４９】
カメラ１の光軸Ｌと窓２の垂線Ｖとのなす角度θが６０°であるカメラシステムに用いる場合、上記の式に基づき、反射率が最小となる膜厚（Ｄ）は次のようになる。
【００５０】
Ｄ＝１００／ｃｏｓ６０°
＝２００
ここで、反射率が最小となる膜厚の±１０％の範囲内においては、反射を抑制する効果が高くなる。したがって、膜厚Ｄを１８０〜２２０ｎｍの間で調整すれば、反射をさらに抑制することができる。
【００５１】
同様に、角度θが４５°である場合は、膜厚Ｄ＝１２７〜１５６ｎｍとなり、膜厚Ｄをこの範囲内に調整すれば、反射をさらに抑制することができる。また、角度θが３０°である場合は、膜厚Ｄ＝１０４〜１２７ｎｍとなり、膜厚Ｄをこの範囲内に調整すれば、反射をさらに抑制することができる。
【００５２】
ただし、カメラシステムにおいては、角度θは、カメラ１の設置位置やカメラ１のレンズの向き、反射防止フィルムの貼付位置などにより変化するものである。したがって、角度θ＝３０〜６０°を想定し、反射防止層の膜厚を１１０〜２００ｎｍにすることが好ましいのである。この場合、角度θとの関係から、反射率が最小になる膜厚から±１０％の範囲を超える膜厚になる場合も予想されるが、そのような場合でも光を打ち消す効果は得られるものであり、反射は十分に抑制される。
【００５３】
このように、窓２を介してカメラ１で被写体Ｈを撮影するカメラシステムにあっては、カメラ１の撮像範囲において窓２に、上記のような反射防止フィルムが貼付されていることにより、窓２による光の反射を抑制することができる。したがって、カメラ１の光軸Ｌが窓２に対して斜め方向になる場合であっても、写り込みを低減し、被写体Ｈをカメラ１で鮮明に撮影することができるものである。
【００５４】
上記のようなカメラシステムを用いれば、監視カメラシステムを簡単に構築することが可能となる。例えば、屋外の駐車場に停車した自動車を監視する場合、屋内のカメラ１を屋外に向けてカメラ１で撮影して監視することができる。この場合、屋外に新しくカメラ１を設けたりすることなく、屋内にて室内用のカメラ１を設置して撮影できるものである。また、一般に屋外用カメラは高価であるが、室内用カメラは比較的安価であり、安価なコストでカメラシステムを構築することができる。また、屋内において、又は屋内と屋外とをあわせて、複数のカメラを設置し、ネットワークカメラにしたカメラシステムを構築することもできる。
【実施例】
【００５５】
以下、実施例によって詳細に説明する。
【００５６】
［実施例１］
厚み７５μｍのＰＥＴフィルムの表面に膜厚１４０ｎｍの反射防止層を形成した反射防止フィルムを用意した。反射防止層はシリコン樹脂「コーティング材エアロセラ（パナソニック電工製）」により形成されたものである。塗工方法としてはグラビアコーターにて塗工する方法を用いた。反射防止層の屈折率は１．３６であった。この反射防止フィルムを、カメラの光軸と窓ガラスの垂線とのなす角度θが４５°となったカメラ前面（撮像範囲）の窓ガラス両面に貼り付けた。これにより、窓ガラス及び反射防止フィルムを介してカメラで被写体を撮影するカメラシステムを構築した。
【００５７】
［実施例２］
実施例１において、反射防止層の膜厚を１３０ｎｍとした。それ以外は、実施例１と同様の方法で、窓ガラス及び反射防止フィルムを介してカメラで被写体を撮影するカメラシステムを構築した。
【００５８】
［実施例３］
実施例１において、反射防止層の膜厚を１００ｎｍとし、カメラの光軸と窓ガラスの垂線とのなす角度を２０°とした。それ以外は、実施例１と同様の方法で、窓ガラス及び反射防止フィルムを介してカメラで被写体を撮影するカメラシステムを構築した。
【００５９】
［実施例４］
実施例１において、反射防止層の膜厚を２９０ｎｍとし、カメラの光軸と窓ガラスの垂線とのなす角度θを７０°とした。それ以外は、実施例１と同様の方法で、窓ガラス及び反射防止フィルムを介してカメラで被写体を撮影するカメラシステムを構築した。
【００６０】
［比較例１］
厚み７５μｍのＰＥＴフィルムの表面に、実施例１と同様の材料からなる膜厚１００ｎｍの反射防止層を形成した反射防止フィルムを用意した。この反射防止フィルムを、カメラの光軸と窓ガラスの垂線とのなす角度θが４５°となったカメラ前面（撮像範囲）の窓ガラス両面に貼り付けた。これにより、窓ガラス及び反射防止フィルムを介してカメラで被写体を撮影するカメラシステムを構築した。
【００６１】
［比較例２］
厚み７５μｍのＰＥＴフィルムの表面に、実施例１と同様の材料からなる膜厚１００ｎｍの反射防止層を形成した反射防止フィルムを用意した。この反射防止フィルムを、カメラの光軸と窓ガラスの垂線とのなす角度θが７０°となったカメラ前面（撮像範囲）の窓ガラス両面に貼り付けた。これにより、窓ガラス及び反射防止フィルムを介してカメラで被写体を撮影するカメラシステムを構築した。
【００６２】
［撮像画像の品質評価］
カメラの撮像画像を目視で評価して確認した。
判定基準は
◎：写り込みがまったくなく被写体が鮮明に見える
○：わずかに写り込みがあるが被写体が概ね鮮明に見える
△：写り込みが明らかにあり、被写体が見にくい
×：写り込みが激しく、被写体がまったくわからない
とした。
【００６３】
［反射率］
反射防止フィルムを貼付したガラスをサンプルとし、分光光度計にて反射率を測定した。測定は、サンプルに対して所定の入射角で波長５５０ｎｍの光を照射し、入射角と同角度の反対位置にある検出器により反射率を測定した。
【００６４】
なお、反射率の比較基準として、反射防止フィルムを貼り付けていない窓ガラスについて、サンプル測定時の角度と同角度で、反射率を測定した。（ただし反射防止フィルムを貼り付けていないガラスの反射率は角度に依存せず約８．５％であった）
［結果］
結果を表１に示す。
【００６５】
実施例１〜４では、反射防止フィルムを貼り付けていない比較基準の反射率８．５％に比べて反射率の値が低く、写り込みが抑制され、撮像画像も鮮明に見ることができた。
【００６６】
一方、比較例１、２では反射率の値が高いため写り込みが多く、撮像画像が鮮明に見えなかった。角度θが大きい比較例２の方がその傾向は顕著であった。
【００６７】
このように、写り込みを抑制するためには、反射率は低い方がよく、具体的には、３．０％以下程度が好ましく、２．５％以下程度がより好ましいことが分かる。
【００６８】
【表１】
2011203345.tif 000003
【００６９】
［システム構築例］
図３は、カメラシステムにて撮影したカメラ画像を示す写真である。（ａ）は反射防止フィルムを貼り付ける前、（ｂ）は反射防止フィルムを貼り付けた後の様子を示している。なお、反射防止フィルムはガラスの両面に貼り付けられている。
【００７０】
図３（ａ）に示すように、反射防止フィルムを貼り付ける前においては、室内のレンガ模様が映り込み、外が見えにくくなっている（符号Ｐで示す部分）。一方、図３（ｂ）に示すように、反射防止フィルムを貼り付けた後においては、映り込みがほとんどなくなって外（階段下）がよく見えるようになり、外を通行するバイクが見えるようになっている（符号Ｑで示す部分）。
【符号の説明】
【００７１】
１  カメラ
２  窓
Ｌ  光軸
Ｖ  垂線
θ  角度
【図１】
2011203345.tif 000004
【図２】
2011203345.tif 000005
【図３】
2011203345.tif 000006